(57)【要約】      （修正有）                                                              【課題】イチゴの苗を植え付ける栽培槽と、その栽培槽を地面より高位置に設置する架台とを備え、栽培槽の外側面に筒状の気密性空気袋を設置するとともにこの気密性空気袋を前記栽培槽の端縁に沿って配置し、気密性空気袋には空気を出し入れ自在としたいちご栽培装置を提供する。【効果】いちごの花柄が栽培槽５０の外側まで延びたときには気密性空気袋６０に空気を充満させることによって花柄を支えることができ、一方、栽培槽においていちごを栽培していないとき又は栽培していても未だいちごの花柄が栽培槽の外側まで延びていないときには気密性空気袋６０から空気を略完全に抜いて栽培槽の外壁面に畳むことができ、従来と異なり、邪魔な突出物とならず、いちご栽培の作業能率を向上させることができる。【選択図】図３
0003105006.tif 000002
【実用新案登録請求の範囲】
【請求項１】
イチゴの苗を植え付ける栽培槽と、その栽培槽を地面より高位置に設置する架台とを備えたイチゴ栽培装置において、前記栽培槽の外側面に筒状の気密性空気袋を設置するとともにこの気密性空気袋を前記栽培槽の端縁に沿って配置し、前記気密性空気袋には空気を出し入れ自在としたことを特徴とするイチゴ栽培装置。
【請求項２】
請求項１のイチゴ栽培装置において、前記気密性空気袋の側面に所定間隔を介して係止片を設けるとともにこの係止片に係止孔を設け、この係止孔に取り付け鉤を掛け止めた状態でこの取り付け鉤を前記栽培槽の端縁に掛け止めしたことを特徴とするイチゴ栽培装置。
【請求項３】
請求項１のイチゴ栽培装置において、前記気密性空気袋を筒状柔軟シートから構成するとともにこの一端を塞ぎ他端から空気を侵入可能としたことを特徴とするイチゴ栽培装置。
【請求項４】
請求項１のイチゴ栽培装置において、前記気密性空気袋は空気を充満させたときにその上端面が前記栽培槽の端縁よりも上方に位置することを特徴とするイチゴ栽培装置。
【考案の詳細な説明】
【技術分野】
【０００１】
この考案はいちご栽培装置に関し、架台を介して地面より高い位置に栽培槽を設置し、この栽培槽にイチゴを植えつける場合に使用されるものである。
【背景技術】
【０００２】
従来におけるこの種のいちご栽培装置は、前記栽培槽の左右両側に所定間隔を介して紐張り用ブラケットを突設し、これらの紐張り用ブラケットの間に複数の紐を平行に張ったものであるため、前記栽培槽内から伸び出たイチゴの花柄は前記紐によって支えられる結果、その栽培槽に触れることはなく、この結果、栽培槽から垂れ下がった果実が、その栽培槽の側面と擦れ合って傷つくのを防止するとともにイチゴの花柄が果実の重みで真下に向かって急激に曲がらないようにして折れるのを防止していた。          
【０００３】
【特許文献１】特開２００３−０１８９１６
【考案の開示】
【考案が解決しようとする課題】
【０００４】
しかしながら、かかる従来のいちご栽培装置にあっては、栽培槽の左右両側に紐張り用ブラケットが突設されていたため、いちごの花柄が延びない段階で未だ紐を張る必要のないときには、この紐張り用ブラケットが棒状の突出物となって、栽培作業の邪魔になりやすいという不都合を有した。
【０００５】
この考案の課題はかかる不都合を解消することである。
【課題を解決するための手段】
【０００６】
上記課題を達成するために、この考案に係るいちご栽培装置においては、イチゴの苗を植え付ける栽培槽と、その栽培槽を地面より高位置に設置する架台とを備えたイチゴ栽培装置において、前記栽培槽の外側面に筒状の気密性空気袋を設置するとともにこの気密性空気袋を前記栽培槽の端縁に沿って配置し、前記気密性空気袋には空気を出し入れ自在としたものである。
【０００７】
なお、前記気密性空気袋の側面に所定間隔を介して係止片を設けるとともにこの係止片に係止孔を設け、この係止孔に取り付け鉤を掛け止めた状態でこの取り付け鉤を前記栽培槽の端縁に掛け止めすることもできる。
【０００８】
また、前記気密性空気袋を筒状柔軟シートから構成するとともにこの一端を塞ぎ他端から空気を侵入可能とすることもできる。
【０００９】
また、前記気密性空気袋は空気を充満させたときにその上端面が前記栽培槽の端縁よりも上方に位置させることもできる。
【考案の効果】
【００１０】
この考案に係るいちご栽培装置は、イチゴの苗を植え付ける栽培槽と、その栽培槽を地面より高位置に設置する架台とを備えたイチゴ栽培装置において、前記栽培槽の外側面に筒状の気密性空気袋を設置するとともにこの気密性空気袋を前記栽培槽の端縁に沿って配置し、前記気密性空気袋には空気を出し入れ自在としたため、いちごの花柄が前記栽培槽の外側まで延びたときには前記気密性空気袋に空気を充満させることによって前記花柄を支えることができ、一方、前記栽培槽においていちごを栽培していないとき又は栽培していても未だいちごの花柄が前記栽培槽の外側まで延びていないときには前記気密性空気袋から空気を略完全に抜いて前記栽培槽の外壁面に畳むことができる。
【００１１】
よって、このいちご栽培装置を使用すれば、いちごの花柄が前記栽培槽の外側まで延びたときにはその花柄が栽培槽に触れるのを防止して垂れ下がった果実が傷つくのを防止できるとともに花柄が果実の重みで急激に曲がって折れるのを防止することができるとともに前記栽培槽においていちごを栽培していないとき又は栽培していても未だいちごの花柄が前記栽培槽の外側まで延びていないときには前記気密性空気袋を前記栽培槽の外壁面に畳んでおくことができるため、従来と異なり、邪魔な突出物とならず、いちご栽培の作業能率を向上させることができる。
【００１２】
なお、前記気密性空気袋の側面に所定間隔を介して係止片を設けるとともにこの係止片に係止孔を設け、この係止孔に取り付け鉤を掛け止めた状態でこの取り付け鉤を前記栽培槽の端縁に掛け止めすれば、前記気密性空気袋を前記栽培槽の端縁に容易に取り付けることができる。
【００１３】
また、前記気密性空気袋を筒状柔軟シートから構成するとともにこの一端を塞ぎ他端から空気を侵入可能とすれば、従来存在する筒状柔軟シートを使用することができるため、低コストで製造することができる。
【００１４】
また、前記気密性空気袋は空気を充満させたときにその上端面が前記栽培槽の端縁よりも上方に位置させるようにすれば、栽培槽の外側まで延びたいちごの花柄は逆放物線状に支えられるため、果実の重みで急激に曲がることはなく傷つきにくいものである。
【実施例】
【００１５】
図１はこの考案に係るいちご栽培装置の正面図、図２は図１におけるII−II線断面図、図３は図２におけるIII 部拡大図、図４は図３におけるIV部拡大図である。
【００１６】
図１及び図２において、Ａはいちご栽培装置、10はその架台である。
この架台10は複数の脚部20,20,…とこの脚部20,20,…に架け渡された支持杆30,30 とから構成されている。
【００１７】
また、前記脚部20は、地面Ｂに立設された一対の支柱（高さは約７０ｃｍ，間隔は約３５ｃｍ）21,21 とこの支柱に架け渡され締付具22,22 によって固定された下部補助杆23および上部補助杆24とから構成されている。
【００１８】
この脚部20,20,…は所定間隔（約１．２ｍ）を介して並列に設置され、その上部補助杆24の上に前記支持杆30,30 が載置された状態で締付具31,31 によって締め付け固定されている。
【００１９】
また、50は栽培槽であり、前記架台10における一対の前記支持杆30,30 の上に載置されている。この栽培槽50は樋状であり、硬質プラスチック製溝形ラックをその長手方向に複数継ぎ合わせて形成されるようになっている。この栽培槽50には培土90が充填され、イチゴの苗Ｓが長手方向に沿って二列状態で一定の間隔で植え付けられている。
【００２０】
次に、60は筒状の気密性空気袋であり、前記栽培槽50の両側の外側面に前記栽培槽50端縁に沿って配置されている。この気密性空気袋60は柔軟性の合成樹脂製であり（例えば、塩ビ，ポリプロ，ポリエチレン等）、その両端は空気中に開口61,62 している。これらの開口61,62 のうち一端開口61を紐等で締め付けることにより塞ぎ、他端開口62からポンプ63等によって加圧空気を侵入させれば、空気枕状の筒体となり、両端開口61,62 を空気中に開口させた状態で圧縮すれば、内部の空気は抜け畳んだ状態となる（図２を参照のこと）。
【００２１】
なお、前記気密性空気袋60は空気を充満させたときにその上端面が前記栽培槽50の端縁よりも上方に位置するように設置されている（図３，図４の仮想線の状態を参照のこと）。
【００２２】
図１〜４において、64,64,…は係止片であり、前記気密性空気袋60の側面に所定間隔を介して貼着された状態で突設されている。この係止片64は前記気密性空気袋60と同じ材料で製造することもできるし、他の柔軟な材料で製造することもできる。65は係止孔であり、前記係止片64に形成されている。この係止孔65に取り付け鉤66を掛け止めた状態でこの取り付け鉤66を前記栽培槽50の端縁に掛け止めすることによって前記気密性空気袋60は前記栽培槽50に着脱可能に設置される。
【００２３】
このように構成されるいちご栽培装置は、図３および図４に実線で示すように、前記栽培槽50においていちごＳを栽培していないとき又は栽培していても未だいちごＳの花柄80が前記栽培槽50の外側まで延びていないときには、前記気密性空気袋50の空気を略完全に抜かれていた前記栽培槽50の外壁面に畳まれた状態となっている。一方、図３および図４に仮想線で示すように、いちごＳの花柄80が前記栽培槽50の外側まで延びたときには前記気密性空気袋60に空気を充満させることによって空気枕を形成し、この空気枕によって前記花柄80を湾曲状に支えることができるものである。
【産業上の利用可能性】
【００２４】
気密性空気袋によって果実が傷つくのを防止することができるとともに花柄が果実の重みで折れるのを防止することができるにもかかわらず、この気密性空気袋を使用しない時には栽培槽の外側面に畳んでおくことができ、地面より高い位置に栽培槽を設置するイチゴの栽培に利用する。
【図面の簡単な説明】
【００２５】
【図１】図１はこの考案に係るいちご栽培装置の正面図である。
【図２】図２は図１におけるII−II線断面図である。
【図３】図３は図２におけるIII 部拡大図である。
【図４】図４は図３におけるIV部拡大図である。
【符号の説明】
【００２６】
Ａ  …  イチゴ栽培装置
Ｓ  …  イチゴ
10  …  架台
50  …  栽培槽
60  …  気密性空気袋
64  …  係止片
65  …  係止孔
66  …  取り付け鉤
【図１】
0003105006.tif 000003
【図２】
0003105006.tif 000004
【図３】
0003105006.tif 000005
【図４】
0003105006.tif 000006